【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
複数のプロトコルデータユニット（ＰＤＵ）を受信するための手段と、
前記ＰＤＵの各々が成功裏に受信されたかどうか、および前記ＰＤＵの各々がフラグメント化されていないサービスデータユニット（ＳＤＵ）を搬送するかまたはフラグメント化されたＳＤＵを搬送するかを決定するための手段と、ここにおいて、前記ＰＤＵのうちの少なくとも１つは、少なくとも１つのフラグメント化されたＳＤＵを備える、
前記決定に基づいて、任意の複数のフラグメント化されていないＳＤＵおよび前記少なくとも１つのフラグメント化されたＳＤＵについての受信状態を示すビットマップフィールドおよび開始シーケンス制御（ＳＳＣ）フィールドを備える、ブロック確認応答（ブロックＡｃｋ）フレームを送信のために出力するための手段と、ここにおいて、前記ブロックＡｃｋフレーム中の前記ビットマップフィールドは、可変長を有し、前記可変長は、前記ブロックＡｃｋフレーム中のフラグメント番号（ＦＮ）の１つまたは複数の最上位ビットの値によって示され、前記ＦＮの前記値は、前記ＳＳＣフィールドにおいて示される、
を備える、装置。
【請求項２】
前記少なくとも１つのフラグメント化されたＳＤＵは、アグリゲートされたＭＰＤＵ（Ａ−ＭＰＤＵ）中で受信される、請求項１の装置。
【請求項３】
前記ブロックＡｃｋフレーム中の前記ビットマップフィールドによって確認応答されることができる前記フラグメント化されていないＳＤＵおよびフラグメント化されたＳＤＵの数は、可変である、請求項１の装置。
【請求項４】
前記ブロックＡｃｋフレーム中の前記ビットマップフィールド中の各ビットは、前記フラグメント化されていないＳＤＵのうちの１つ、または、前記フラグメント化されたＳＤＵのうちの１つの最初のフラグメント、前記フラグメント化されたＳＤＵのうちの１つの全てのフラグメント、または前記フラグメント化されたＳＤＵのうちの１つのための唯一のフラグメントのうちの少なくとも１つ、についての前記受信状態を示す、請求項１の装置。
【請求項５】
前記装置は、
前記フラグメント化されたＳＤＵを送信または処理するのに使用される１つまたは複数のフラグメント化パラメータについて、前記複数のＰＤＵの送信機とのネゴシエーションに参加するための手段
をさらに備える、請求項１の装置。
【請求項６】
前記ブロックＡｃｋフレーム中の前記ＦＮの最下位ビットの値は、前記ブロックＡｃｋフレームがフラグメント化されていないＳＤＵまたはフラグメント化されたＳＤＵの受信状態を示すかどうかを示す、請求項１の装置。
【請求項７】
前記最下位ビットの前記値についての０の値は、フラグメント化されていないＳＤＵを示し、前記最下位ビットの前記値についての０でない値は、フラグメント化されたＳＤＵを示す、請求項６の装置。
【請求項８】
ワイヤレス通信のための装置であって、
複数のプロトコルデータユニット（ＰＤＵ）を送信のために出力するための手段と、ここにおいて、前記ＰＤＵの各々は、フラグメント化されていないサービスデータユニット（ＳＤＵ）またはフラグメント化されたＳＤＵを搬送し、前記ＰＤＵのうちの少なくとも１つは、少なくとも１つのフラグメント化されたＳＤＵを備える、
任意の複数のフラグメント化されていないＳＤＵおよび前記少なくとも１つのフラグメント化されたＳＤＵについての受信状態を示すビットマップフィールドおよび開始シーケンス制御（ＳＳＣ）フィールドを備える、ブロック確認応答（ブロックＡｃｋ）フレームを受信するための手段と、ここにおいて、前記ブロックＡｃｋフレーム中の前記ビットマップフィールドは、可変長を有し、前記可変長は、前記ブロックＡｃｋフレーム中のフラグメント番号（ＦＮ）の１つまたは複数の最上位ビットの値によって示され、前記ＦＮの前記値は、前記ＳＳＣフィールドにおいて示される、
前記複数のフラグメント化されていないＳＤＵおよび前記少なくとも１つのフラグメント化されたＳＤＵが成功裏に受信されたかどうかを決定するために前記ブロックＡｃｋフレーム中の前記ビットマップフィールドを処理するための手段と、
を備える、装置。
【請求項９】
前記装置は、
前記ビットマップフィールドが処理された後にブロック確認応答要求を送信のために出力するための手段と、ここにおいて、前記ビットマップフィールドは、前記フラグメント化されていないＳＤＵおよびフラグメント化されたＳＤＵのうちの少なくとも１つが成功裏に受信されなかったことを示した、
前記ブロック確認応答要求に応答して、ブロックＡｃｋフレームを受信するための手段と、ここにおいて、前記ブロックＡｃｋフレーム中の前記ビットマップフィールドは、前記フラグメント化されていないＳＤＵの各々および前記フラグメント化されたＳＤＵの各フラグメントについての前記受信状態を示す、
をさらに備える、請求項６の装置。
【請求項１０】
前記装置は、
前記ビットマップフィールドが処理された後に、前記フラグメント化されたＳＤＵのうちの前記少なくとも１つのフラグメントを再送信のために出力するための手段をさらに備え、前記ビットマップフィールドは、前記フラグメント化されたＳＤＵのうちの少なくとも１つが成功裏に受信されなかったことを示した、請求項６の装置。
【請求項１１】
前記装置は、
前記フラグメント化されたＳＤＵを送信または処理するのに使用される１つまたは複数のフラグメント化パラメータについて、前記複数のＰＤＵの少なくとも１つの意図された受信側とのネゴシエーションに参加するための手段、
をさらに備える、請求項６の装置。
【請求項１２】
ワイヤレス通信のための方法であって、
複数のプロトコルデータユニット（ＰＤＵ）を受信することと、
前記ＰＤＵの各々が成功裏に受信されたかどうか、および前記ＰＤＵの各々がフラグメント化されていないサービスデータユニット（ＳＤＵ）を搬送するかまたはフラグメント化されたＳＤＵを搬送するかどうかを決定することと、ここにおいて、前記ＰＤＵのうちの少なくとも１つは、少なくとも１つのフラグメント化されたＳＤＵを備える、
前記決定に基づいて、任意の複数のフラグメント化されていないＳＤＵおよび前記少なくとも１つのフラグメント化されたＳＤＵについての受信状態を示すビットマップフィールドおよび開始シーケンス制御（ＳＳＣ）フィールドを備える、ブロック確認応答（ブロックＡｃｋ）フレームを送信のために出力することと、ここにおいて、前記ブロックＡｃｋフレーム中の前記ビットマップフィールドは、可変長を有し、前記可変長は、前記ブロックＡｃｋフレーム中のフラグメント番号（ＦＮ）の１つまたは複数の最上位ビットの値によって示され、前記ＦＮの前記値は、前記ＳＳＣフィールドにおいて示される、
を備える、方法。
【請求項１３】
前記フラグメント化されたＳＤＵを送信または処理するのに使用される１つまたは複数のフラグメント化パラメータについて、前記複数のＰＤＵの送信機とのネゴシエーションに参加すること
をさらに備える、請求項１２の方法。
【請求項１４】
ワイヤレス通信のための方法であって、
複数のプロトコルデータユニット（ＰＤＵ）を送信のために出力することと、ここにおいて、前記ＰＤＵの各々は、フラグメント化されていないサービスデータユニット（ＳＤＵ）またはフラグメント化されたＳＤＵを搬送し、前記ＰＤＵのうちの少なくとも１つは、少なくとも１つのフラグメント化されたＳＤＵを備える、
任意の複数のフラグメント化されていないＳＤＵおよび前記少なくとも１つのフラグメント化されたＳＤＵについての受信状態を示すビットマップフィールドおよび開始シーケンス制御（ＳＳＣ）フィールドを備えるブロック確認応答（ブロックＡｃｋ）フレームを受信することと、
前記複数のフラグメント化されていないＳＤＵおよび前記少なくとも１つのフラグメント化されたＳＤＵが成功裏に受信されたかどうかを決定するために前記ブロックＡｃｋフレーム中の前記ビットマップフィールドを処理することと、ここにおいて、前記ブロックＡｃｋフレーム中の前記ビットマップフィールドは、可変長を有し、前記可変長は、前記ブロックＡｃｋフレーム中のフラグメント番号（ＦＮ）の１つまたは複数の最上位ビットの値によって示され、前記ＦＮの前記値は、前記ＳＳＣフィールドにおいて示される、
を備える、方法。
【請求項１５】
前記フラグメント化されたＳＤＵを送信または処理するのに使用される１つまたは複数のフラグメント化パラメータについて、前記複数のＰＤＵの少なくとも１つの意図された受信側とのネゴシエーションに参加すること
をさらに備える、請求項１４の方法。